(57)【特許請求の範囲】
【請求項１】
被取付部に取り付けられ、長尺状の器具本体と、
前記器具本体に取り付けられ、かつ前記器具本体の長手方向に沿って延在するＬＥＤ基板と、
前記ＬＥＤ基板の、前記被取付部側の面とは反対側の面において、前記器具本体の長手方向に沿って、かつ所定間隔をおいて直線状に配置される複数のＬＥＤチップと、
前記ＬＥＤ基板の、前記被取付部側の面とは反対側の面に設けられるコネクタと、
前記器具本体に取り付けられ、かつ前記複数のＬＥＤチップの各々の周囲を覆う反射面を有する反射板と、
を備え、
前記器具本体は、他の器具本体と連結可能であり、前記連結は、器具本体の長手方向の端部同士を当接させた状態で行われ、
前記コネクタは、
前記器具本体における前記ＬＥＤ基板と、前記他の器具本体におけるＬＥＤ基板とを結ぶ配線の接続用に設けられ、
かつ、前記器具本体における前記複数のＬＥＤチップのうちの、前記器具本体と前記他の器具本体との連結部分に最も近い位置にある第１のＬＥＤチップと、次に近い位置にある第２のＬＥＤチップとの間の位置に配置され、
前記他の器具本体における複数のＬＥＤチップのうちの、前記器具本体と前記他の器具本体との連結部分に最も近い位置にあるＬＥＤチップを第３のＬＥＤチップとし、
前記器具本体における前記複数のＬＥＤチップ間の前記所定間隔を第１間隔とし、
前記器具本体における前記第１のＬＥＤチップと、前記他の器具本体における前記第３のＬＥＤチップとの間の間隔を第２間隔とした場合、
前記器具本体と前記他の器具本体とを連結した状態では、前記第１間隔と前記第２間隔は同一となるＬＥＤ照明器具。
【請求項２】
請求項１に記載のＬＥＤ照明器具において、
前記反射板における前記被取付部側の面の、前記第１のＬＥＤチップの周囲である位置に、前記器具本体における前記ＬＥＤ基板と前記他の器具本体におけるＬＥＤ基板とを結ぶ配線が浮き上がらないように規制する突出部が設けられるＬＥＤ照明器具。
【請求項３】
請求項１または請求項２に記載のＬＥＤ照明器具において、
前記コネクタは、前記反射板と前記器具本体との間の、前記反射板の裏側の空間に配置されるＬＥＤ照明器具。
【発明の詳細な説明】
【技術分野】
【０００１】
本発明は、例えば住宅や施設等の天井や壁等の取付面に直接取り付けられるＬＥＤ照明器具に関する。
【背景技術】
【０００２】
ＬＥＤ照明器具として、ＬＥＤ基板が帯状に形成され、このＬＥＤ基板の長手方向に複数のＬＥＤチップが直線状に所定間隔をおいて配列されたＬＥＤユニットを備えた発光装置が知られている（例えば、特許文献１参照）。
ここで、特許文献１のＬＥＤユニットを複数個連続させて設けることにより光の連続性を確保することが考えられる。光の連続性を確保することによりＬＥＤ照明器具の商品価値を高めることが可能である。
【先行技術文献】
【特許文献】
【０００３】
【特許文献１】特開２０１０−９８３０２号公報（段落番号０００２，０００３）
【発明の概要】
【発明が解決しようとする課題】
【０００４】
しかし、特許文献１のＬＥＤユニットを複数個連続させて光の連続性を確保するためには、隣接するＬＥＤユニットのＬＥＤ基板を配線で接続する必要がある。
隣接するＬＥＤ基板を配線で接続するために、ＬＥＤ基板に配線を半田付けで接続する作業が要求される。
このため、ＬＥＤ基板に配線を接続する半田付け作業に手間がかかり、そのことが、光の連続性を備えたＬＥＤ照明器具の生産性を高める妨げになっていた。
【０００５】
本発明は、前述した課題を解決するためになされたものであり、その目的は、複数のＬＥＤ基板を手間をかけないで長手方向に容易に接続可能なＬＥＤ照明器具を提供することにある。
【課題を解決するための手段】
【０００６】
本発明は、被取付部に取り付けられ、長尺状の器具本体と、前記器具本体に取り付けられ、かつ前記器具本体の長手方向に沿って延在するＬＥＤ基板と、前記ＬＥＤ基板の、前記被取付部側の面とは反対側の面において、前記器具本体の長手方向に沿って、かつ所定間隔をおいて直線状に配置される複数のＬＥＤチップと、前記ＬＥＤ基板の、前記被取付部側の面とは反対側の面に設けられるコネクタと、前記器具本体に取り付けられ、かつ前記複数のＬＥＤチップの各々の周囲を覆う反射面を有する反射板と、を備え、前記器具本体は、他の器具本体と連結可能であり、前記連結は、器具本体の長手方向の端部同士を当接させた状態で行われ、前記コネクタは、前記器具本体における前記ＬＥＤ基板と、前記他の器具本体におけるＬＥＤ基板とを結ぶ配線の接続用に設けられ、かつ、前記器具本体における前記複数のＬＥＤチップのうちの、前記器具本体と前記他の器具本体との連結部分に最も近い位置にある第１のＬＥＤチップと、次に近い位置にある第２のＬＥＤチップとの間の位置に配置され、前記他の器具本体における複数のＬＥＤチップのうちの、前記器具本体と前記他の器具本体との連結部分に最も近い位置にあるＬＥＤチップを第３のＬＥＤチップとし、前記器具本体における前記複数のＬＥＤチップ間の前記所定間隔を第１間隔とし、前記器具本体における前記第１のＬＥＤチップと、前記他の器具本体における前記第３のＬＥＤチップとの間の間隔を第２間隔とした場合、前記器具本体と前記他の器具本体とを連結した状態では、前記第１間隔と前記第２間隔は同一となる。
【０００７】
また、本発明は、前記反射板における前記被取付部側の面の、前記第１のＬＥＤチップの周囲である位置に、前記器具本体における前記ＬＥＤ基板と前記他の器具本体におけるＬＥＤ基板とを結ぶ配線が浮き上がらないように規制する突出部が設けられる。
【０００８】
さらに、本発明は、前記コネクタは、前記反射板と前記器具本体との間の、前記反射板の裏側の空間に配置される。
【発明の効果】
【０００９】
本発明のＬＥＤ照明器具によれば、ＬＥＤ基板にコネクタを設けることにより、器具本体の隣に別の器具本体を連続させる場合に、別の器具本体の配線をコネクタに接続できる。このように、別の器具本体の配線をコネクタに接続可能とすることにより、配線をＬＥＤ基板に容易に接続できる。
これにより、光の連続性を確保して商品価値を高めることができるＬＥＤ照明器具の生産性を向上させることができるという効果を有する。
【図面の簡単な説明】
【００１０】
【図１】本発明に係るＬＥＤ照明器具を示す斜視図
【図２】図１のＬＥＤ照明器具を分解した状態を示す分解斜視図
【図３】（Ａ）は本発明に係るＬＥＤ照明器具を示す断面図、（Ｂ）は本発明に係るＬＥＤ照明器具の光の照射状態を示す断面図
【図４】本発明に係る一対のＬＥＤユニットを連結した状態を示す斜視図
【図５】本発明に係る反射板に設けた爪部およびリブを示す斜視図
【図６】本発明に係るリブで配線を規制した状態を示す斜視図
【図７】本発明に係る反射板の裏側にコネクタを配置した状態を断面で示す斜視図
【図８】本発明に係る反射板の裏側にコネクタを配置した状態を示す断面図
【発明を実施するための形態】
【００１１】
以下、本発明の実施形態に係るＬＥＤ照明器具について図面を参照して説明する。
【００１２】
（第１実施形態）
図１に示すように、本発明の第１実施形態であるＬＥＤ照明器具１０は、天井１１等の取付面１２に取り付けられる複数の器具本体１４（一個のみを図示する）と、各々の器具本体１４に設けられた照明部１６（一セットのみを図示する）とを備えている。
【００１３】
図２に示すように、器具本体１４は、長尺状に形成されるとともに断面略矩形状に形成され、裏面２１と表面２２とを有する。
裏面２１は、天井１１等の取付面１２に取り付けられる面である。表面２２は、照明部１６が設けられる面である。
【００１４】
図３（Ａ）および図３（Ｂ）に示すように、器具本体１４は、表面２２の両側部２２Ａに長手方向に沿って嵌合溝（溝）２３が形成され、各々の嵌合溝２３に係止部２５が形成されている。
係止部２５は、器具本体１４に形成された直線状の嵌合溝２３の溝縁（縁）２３Ａに長手方向に連続して形成されている。
図４に示すように、器具本体１４は、器具本体１４の端部１４Ａに隣接する器具本体１４の端部１４Ａが突き合わされた状態において、各々の器具本体１４の端部１４Ａ同士が連結可能に構成されている。
【００１５】
図２に示すように、照明部１６は、器具本体１４の表面２２に支持されたＬＥＤ基板３１と、ＬＥＤ基板３１に実装された複数のＬＥＤチップ３２と、ＬＥＤ基板３１に設けられたコネクタ３３（図４参照）と、各ＬＥＤチップ３２の周囲を覆う反射板３４と、反射板３４を覆うカバー３５（図３参照）とを備えている。
【００１６】
ＬＥＤ基板３１は、器具本体１４の表面２２に沿って長手方向に形成されている。このＬＥＤ基板３１は、表面に複数のＬＥＤチップ３２が所定間隔をおいて実装部に実装されている。
【００１７】
複数のＬＥＤチップ３２は、ＬＥＤ基板３１の実装部に実装されることにより、ＬＥＤ基板３１の長手方向に所定間隔をおいて直線状に配列された光源（発光ダイオード）である。
ＬＥＤ基板３１、複数のＬＥＤチップ３２およびコネクタ３３でＬＥＤユニット３０が構成されている。
【００１８】
図４に示すように、コネクタ３３は、ＬＥＤ基板３１に設けられ、器具本体１４の隣に別の器具本体１４を連続させる場合に別の器具本体１４の配線（一対の配線）３８を接続するものである。
一対の配線３８は、ＬＥＤ照明器具１０（器具本体１４）内に配策されている。
このコネクタ３３は、ＬＥＤ基板３１に設けられた複数のＬＥＤチップ３２のうち、ＬＥＤ基板３１の端部（端）３１Ａに配列されるＬＥＤチップ３２（以下、「端部寄りＬＥＤチップ３２Ａ」という）よりＬＥＤ基板３１の中央側に設けられている。
【００１９】
ＬＥＤ基板３１にコネクタ３３を設けることにより、器具本体１４（ＬＥＤユニット３０）の隣に別の器具本体１４（ＬＥＤユニット３０）を連続させる場合に、別のＬＥＤユニット３０の一対の配線３８をＬＥＤユニット３０のコネクタ３３に接続できる。
このように、別のＬＥＤユニット３０の一対の配線３８をコネクタ３３に接続可能とすることにより、一対の配線３８をＬＥＤ基板３１に容易に接続できる。
これにより、光の連続性を確保したＬＥＤ照明器具１０の生産性を向上させることができ、ＬＥＤ照明器具１０の商品価値を高めることができる。
【００２０】
さらに、端部寄りＬＥＤチップ３２Ａより中央側にコネクタ３３を設けた。よって、端部寄りＬＥＤチップ３２ＡをＬＥＤ基板３１の端部３１Ａに十分に寄せることができる。
これにより、ＬＥＤ基板３１（すなわち、器具本体１４）を連続的に配設したときに、各々のＬＥＤ基板３１の端部３１Ａに配列された端部寄りＬＥＤチップ３２Ａ間の距離Ｌ１を、他のＬＥＤチップ３２間の距離Ｌ２と等間隔にできる。
【００２１】
ここで、図４においては、構成の理解を容易にするために、ＬＥＤ基板３１の端部３１Ａと、別のＬＥＤ基板３１の端部３１Ａを離した状態で図示するが、端部３１Ａ同士は互いに連続的に連結される。
すなわち、ＬＥＤ基板３１の端部３１Ａと別のＬＥＤ基板３１の端部３１Ａとが当接された状態においてビス３９で締結されることにより、端部３１Ａ同士が互いに連結される。
【００２２】
図２に示すように、反射板３４は、平面視において略正方形状に形成された底面部４１と、底面部４１の四方外周縁から徐々に拡がるように形成された傾斜周壁部４２とを有し、底面部４１および傾斜周壁部４２で凹部が形成されている。
底面部４１の中央開口４１ＡにＬＥＤチップ３２が配置されることにより、ＬＥＤチップ３２の周囲が反射板３４の反射面３４Ａで覆われている（図１も参照）。
【００２３】
反射面３４Ａは、底面部４１の前面（以下、「前反射面」という）４１Ｂと、傾斜周壁部４２の側面（以下、「側反射面」）４２Ａとを有する。
すなわち、ＬＥＤチップ３２の周囲が前反射面４１Ｂおよび側反射面４２Ａで覆われている。
反射面３４Ａは、ＬＥＤチップ３２側に位置し、ＬＥＤチップ３２から照射された光５０（図３（Ｂ）参照）を反射する面である。
反射板３４およびＬＥＤユニット３０は器具本体１４に収容されている。
【００２４】
底面部４１は、ＬＥＤチップ３２から照射された光５０を通過させる一対の開口部４７を有するとともに、一対の開口部４７の両側においてＬＥＤ基板３１に対向する位置に補強片４８を有する。
一対の開口部４７のうち一方が、ＬＥＤチップ３２および器具本体１４の一方の側部１４Ｂ間に形成されている。また、一対の開口部４７のうち他方が、ＬＥＤチップ３２および器具本体１４の他方の側部１４Ｃ間に形成されている。
【００２５】
図３（Ａ）および図３（Ｂ）に示すように、反射板３４に開口部４７を形成し、ＬＥＤチップ３２から照射された光５０が開口部４７を通過するようにした。
これにより、ＬＥＤチップ３２から照射された光５０をＬＥＤ照明器具１０の取付面１２に照射させて、取付面１２に影が生じることを抑えることができる。
【００２６】
さらに、反射板３４の開口部４７を補強片４８で補強することにより反射板３４の強度を補強片４８で増すことができる。
これにより、反射板３４の変形を最小限に抑えて、ＬＥＤチップ３２から照射された光５０を効果的に照射できる。
【００２７】
図２に示すように、傾斜周壁部４２は、器具本体１４の両側部側に設けられた一対の長手方向傾斜壁５２と、一対の長手方向傾斜壁５２間に設けられた一対の短手方向傾斜壁５３とにより形成されている。
長手方向傾斜壁５２は、連続的に設けられた帯状側部傾斜壁５１の一部で形成されている。
一対の帯状側部傾斜壁５１は、器具本体１４の両側部１４Ｂ，１４Ｃ側に連続的に帯状に設けられた部材である。
【００２８】
図５に示すように、帯状側部傾斜壁５１のうち、ＬＥＤ基板３１の端部３１Ａに対向する部位に一対のリブ（突出部）５５が配列されている。
一対のリブ５５の一方は、一方の帯状側部傾斜壁５１の裏面（反射板３４の裏面）５１Ａから器具本体１４の一方の側部１４Ｂに向けて張り出されている。
【００２９】
また、一対のリブ５５の他方は、他方の帯状側部傾斜壁５１の裏面（反射板３４の裏面）５１Ａから器具本体１４の他方の側部１４Ｃに向けて張り出されている。
一対のリブ５５は、端部寄りＬＥＤチップ３２Ａ（図４参照）の周囲に設けられている。
【００３０】
図４に示すように、端部寄りＬＥＤチップ３２Ａやコネクタ３３は、ＬＥＤ基板３１の端部３１Ａ側に配列されている。
よって、コネクタ３３に接続された一対の配線３８は、ＬＥＤ基板３１の端部３１Ａ側に配策されている。
【００３１】
これにより、図６に示すように、器具本体１４の内部に配策された一対の配線３８を一対のリブ５５で規制できる。
このように、端部寄りＬＥＤチップ３２Ａの周囲に一対のリブ５５を設け、器具本体１４の内部に配策された一対の配線３８をリブ５５で規制するようにした。
これにより、ＬＥＤチップ３２の横に配策された一対の配線３８が浮き上がって影になることを防止して意匠性を高めることができる。
【００３２】
さらに、一対のリブ５５でＬＥＤ照明器具１０内に配策された一対の配線３８を規制することにより、ＬＥＤチップ３２から側面方向に照射された光５０（図３（Ｂ）参照）を一対の配線３８で遮ることを防止できる。
これにより、ＬＥＤチップ３２から照射された光５０を効果的に取り出すことができる。
【００３３】
図５に示すように、帯状側部傾斜壁５１の裏面２１に爪部５７が設けられている。
爪部５７は、帯状側部傾斜壁５１の裏面２１のうち、開口部４７を通過したＬＥＤチップ３２から照射された光５０（図３（Ｂ）参照）を遮らない部位に、器具本体１４の嵌合溝２３に向けて突出されている。
【００３４】
この爪部５７は、先端部に係止爪５７Ａが形成されている。係止爪５７Ａは、器具本体１４の係止部２５に係合可能な部位である（図３（Ａ）参照）。
図３（Ａ）および図３（Ｂ）に示すように、係止爪５７Ａを係止部２５に係合させることにより、器具本体１４に反射板３４が取り付けられている。
【００３５】
反射板３４の裏面２１のうち、開口部４７を通過したＬＥＤチップ３２の光５０を遮らない部位に爪部５７を設け、爪部５７を器具本体１４の係止部２５に係合可能とした。
これにより、ＬＥＤチップ３２から照射された光５０を開口部４７に良好に通過させて無駄なく照射できる。
【００３６】
また、係止部２５は嵌合溝２３の溝縁２３Ａに長手方向に連続して形成されている。
係止部２５を器具本体１４の嵌合溝２３の溝縁２３Ａに長手方向に連続して形成することにより、複数の係止部２５に反射板３４の爪部５７を取り付けることができるので、反射板３４の変形を良好に抑制できる。
これにより、反射板３４の変形を最小限に抑えて、ＬＥＤチップ３２から照射された光５０を効果的に照射できる。
【００３７】
図７、図８に示すように、隣り合う短手方向傾斜壁５３の裏側（反射板３４の裏側）５３Ａにコネクタ３３が配置されている。よって、隣り合う短手方向傾斜壁５３でコネクタ３３を好適に隠すことができる。
コネクタ３３を好適に隠すように配することにより、ＬＥＤ照明器具１０の意匠性を高めることができる。
【００３８】
さらに、コネクタ３３を隣り合う短手方向傾斜壁５３の裏側５３Ａに配置することにより、ＬＥＤチップ３２から照射された光５０をコネクタ３３で遮らないようにできる。
これにより、ＬＥＤチップ３２から照射された光５０を照射面に効率的に照射できる。
【００３９】
図３（Ａ）および図３（Ｂ）に示すように、カバー３５は、反射板３４を覆うことにより、反射面３４Ａの前反射面４１Ｂおよび側反射面４２Ａを覆う透光性の部材である。
このカバー３５は、一対の上端部３５Ａが各嵌合溝２３に嵌合されている。一対の上端部３５Ａの係合部３６が各嵌合溝２３の張出部３７に係合することにより、カバー３５が器具本体１４に取り付けられている。
【００４０】
反射面３４Ａの前反射面４１Ｂおよび側反射面４２Ａを透光性のカバー３５で覆うことにより、ＬＥＤチップ３２から照射された光５０を透光性のカバー３５で反射させることができる。
よって、反射した光５０で前反射面４１Ｂ、側反射面４２Ａを照射するとともに、一対の開口部４７を照射できる。
一対の開口部４７に照射した光５０は、一対の開口部４７を通過してＬＥＤ照明器具１０の取付面１２を効果的に照射できる。
【００４１】
また、反射板３４をカバー３５で覆うことにより、カバー３５とＬＥＤ基板３１とで反射板３４（反射面３４Ａ）が板厚方向に変形することを規制できる。
反射面３４Ａの板厚方向への変形を規制することにより、反射面３４Ａの変形を最小限に抑えて、ＬＥＤチップ３２から照射された光５０を効果的に照射できる。
【００４２】
なお、本発明に係るＬＥＤ照明器具は、前述した第１実施形態に限定されるものではなく適宜変更、改良等が可能である。
例えば、第１実施形態で使用したＬＥＤ照明器具、器具本体、照明部、ＬＥＤユニット、ＬＥＤ基板、ＬＥＤチップ、コネクタ、反射板、反射面、配線およびリブ等の形状や構成は例示したものに限定するものではなく適宜変更が可能である。
【符号の説明】
【００４３】
１０  ＬＥＤ照明器具
１４  器具本体
１６  照明部
３０  ＬＥＤユニット
３１  ＬＥＤ基板
３１Ａ  ＬＥＤ基板の端部
３２  ＬＥＤチップ
３３  コネクタ
３４  反射板
３４Ａ  反射面
３８  配線
５０  光
５３  短手方向傾斜壁
５３Ａ  短手方向傾斜壁の裏側（反射板の裏側）
５５  リブ（突出部）
【図１】
0005620181.tif 000002
【図２】
0005620181.tif 000003
【図３】
0005620181.tif 000004
【図４】
0005620181.tif 000005
【図５】
0005620181.tif 000006
【図６】
0005620181.tif 000007
【図７】
0005620181.tif 000008
【図８】
0005620181.tif 000009